Podtech/llm-jp-corpus-v4-ja_patent huggingface dataset:
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
中心軸の外周に帯板を螺旋状に固着して形成され、動力源により中心軸回りに回転されるスクリューコンベアと、
前記スクリューコンベアの回転によって球を搬送しつつ該球の研磨を行う研磨本体部に取り付けられ、外部に研磨布が露出しつつ前記スクリューコンベアと対向している研磨カセットと、
前記研磨本体部に設けられ、前記球の一部を露出させつつ前記スクリューコンベアと前記研磨布の間に位置する前記球の搬送をガイドする搬送ガイドと、
を備える球研磨装置であって、
前記搬送ガイドには、前記球を前記研磨布へ押圧させた状態で蛇行させつつ搬送する球蛇行領域が設けられていて、
前記球蛇行領域には前記球が前記研磨布から離間している離間区間と、該離間区間よりも前記球を前記研磨布に接近させると共に前記球が最も前記研磨布に接近する近接点を含んだ接近区間とが設けられていて、
前記球蛇行領域を前記球が通過する際には、該球の押圧力および押圧面積が変化する、
ことを特徴とする球研磨装置。
【請求項２】
請求項１記載の球研磨装置であって、
前記研磨カセットのうち、前記研磨布を収容しているカセット本体の背面壁と前記研磨布の間には、クッション材が配置されていて、
前記背面壁は、平板状に設けられている、
ことを特徴とする球研磨装置。
【手続補正２】
【補正対象書類名】明細書
【補正対象項目名】００１１
【補正方法】変更
【補正の内容】
【００１１】
また、本発明の第１の観点によると、中心軸の外周に帯板を螺旋状に固着して形成され、動力源により中心軸回りに回転されるスクリューコンベアと、スクリューコンベアの回転によって球を搬送しつつ該球の研磨を行う研磨本体部に取り付けられ、外部に研磨布が露出しつつスクリューコンベアと対向している研磨カセットと、研磨本体部に設けられ、球の一部を露出させつつスクリューコンベアと研磨布の間に位置する球の搬送をガイドする搬送ガイドと、を備える球研磨装置であって、搬送ガイドには、球を研磨布へ押圧させた状態で蛇行させつつ搬送する球蛇行領域が設けられていて、球蛇行領域には球が研磨布から離間している離間区間と、該離間区間よりも球を研磨布に接近させると共に球が最も研磨布に接近する近接点を含んだ接近区間とが設けられていて、球蛇行領域を球が通過する際には、該球の押圧力および押圧面積が変化する、ことを特徴している。
【手続補正３】
【補正対象書類名】明細書
【補正対象項目名】００１２
【補正方法】変更
【補正の内容】
【００１２】
また、本発明の他の側面は、上述の発明において、研磨カセットのうち、研磨布を収容しているカセット本体の背面壁と研磨布の間には、クッション材が配置されていて、背面壁は、平板状に設けられている、ことが好ましい。
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
演出を表示する表示手段と、
始動条件の成立時に始動情報を取得する取得手段と、
該取得手段が取得した前記始動情報のうち開始条件が成立した始動情報に基づいて所定の当落抽選を行う開始時抽選手段と、
前記開始時抽選手段によって前記当落抽選が行われて当選抽選結果である場合に前記表示手段に特別の表示結果を導出表示させる一方、前記開始時抽選手段によって前記当落抽選が行われて落選抽選結果である場合に前記表示手段に非特別の表示結果を導出表示させる表示制御手段と、
前記取得手段が取得した前記始動情報のうち前記開始条件が成立していない始動情報を記憶する記憶手段と、
前記始動条件の成立時に前記取得手段によって取得した始動情報に基づいて前記開始時抽選手段が前記当落抽選を行う以前に、当該始動情報が前記開始時抽選手段によって前記当選抽選結果と判定される値に属しているか否かと、複数の変動態様のうちいずれの変動態様で表示制御されることとなるかと、を判別する事前判別手段と、を備え、
前記事前判別手段によって前記当選抽選結果と判定される値に属していないと判別され、且つ前記変動態様がリーチ態様を伴わない通常落選態様となると判別された落選始動情報だけが前記記憶手段に記憶されている状態で前記取得手段によって新たに取得した前記始動情報が前記事前判別手段によって前記当選抽選結果と判定される値に属していると判別された当選始動情報が記憶された状態において、予告実行手段によって特定予告演出が実行され、
前記記憶手段に記憶される前記始動情報の記憶数に応じて前記非特別の表示結果を導出表示させるまでの期間を短縮させることが可能であり、
前記特定予告演出には、前記始動情報の記憶数に応じて前記非特別の表示結果を導出表示させるまでの期間が短縮されたときに実行される第１特定予告演出と、当該期間が短縮されなかったときに実行される第２特定予告演出とがあり、
前記第１特定予告演出と前記第２特定予告演出との一部の演出態様が共通とされており、
前記非特別の表示結果を導出表示させるまでの期間が短縮されたときに実行される前記第２特定予告演出の一部の演出態様と共通とされた第１特定予告演出が表示される時間は、第２特定予告演出が表示される時間よりも長く、
前記始動情報を取得する起因となる始動口が複数あるなかで、特定の始動口に入賞したときに限って前記一部の演出態様が共通とされた前記第１特定予告演出および前記第２特定予告演出を実行可能とする
ことを特徴とする遊技機。
【手続補正２】
【補正対象書類名】明細書
【補正対象項目名】０００４
【補正方法】変更
【補正の内容】
【０００４】
上記した遊技機では、大当り遊技の実行を期待させる演出を行うことで大当り遊技に対する期待感を高めているものの、まだまだ演出の工夫の余地はある。
【手続補正３】
【補正対象書類名】明細書
【補正対象項目名】０００５
【補正方法】変更
【補正の内容】
【０００５】
本発明は上記の実状に鑑み、演出の工夫が施された遊技機の提供を課題とする。
【手続補正４】
【補正対象書類名】明細書
【補正対象項目名】０００６
【補正方法】変更
【補正の内容】
【０００６】
上記目的を解決するために、本発明の遊技機は、演出を表示する表示手段と、始動条件の成立時に始動情報を取得する取得手段と、該取得手段が取得した前記始動情報のうち開始条件が成立した始動情報に基づいて所定の当落抽選を行う開始時抽選手段と、前記開始時抽選手段によって前記当落抽選が行われて当選抽選結果である場合に前記表示手段に特別の表示結果を導出表示させる一方、前記開始時抽選手段によって前記当落抽選が行われて落選抽選結果である場合に前記表示手段に非特別の表示結果を導出表示させる表示制御手段と、前記取得手段が取得した前記始動情報のうち前記開始条件が成立していない始動情報を記憶する記憶手段と、前記始動条件の成立時に前記取得手段によって取得した始動情報に基づいて前記開始時抽選手段が前記当落抽選を行う以前に、当該始動情報が前記開始時抽選手段によって前記当選抽選結果と判定される値に属しているか否かと、複数の変動態様のうちいずれの変動態様で表示制御されることとなるかと、を判別する事前判別手段と、を備え、前記事前判別手段によって前記当選抽選結果と判定される値に属していないと判別され、且つ前記変動態様がリーチ態様を伴わない通常落選態様となると判別された落選始動情報だけが前記記憶手段に記憶されている状態で前記取得手段によって新たに取得した前記始動情報が前記事前判別手段によって前記当選抽選結果と判定される値に属していると判別された当選始動情報が記憶された状態において、予告実行手段によって特定予告演出が実行され、前記記憶手段に記憶される前記始動情報の記憶数に応じて前記非特別の表示結果を導出表示させるまでの期間を短縮させることが可能であり、前記特定予告演出には、前記始動情報の記憶数に応じて前記非特別の表示結果を導出表示させるまでの期間が短縮されたときに実行される第１特定予告演出と、当該期間が短縮されなかったときに実行される第２特定予告演出とがあり、前記第１特定予告演出と前記第２特定予告演出との一部の演出態様が共通とされており、前記非特別の表示結果を導出表示させるまでの期間が短縮されたときに実行される前記第２特定予告演出の一部の演出態様と共通とされた第１特定予告演出が表示される時間は、第２特定予告演出が表示される時間よりも長く、前記始動情報を取得する起因となる始動口が複数あるなかで、特定の始動口に入賞したときに限って前記一部の演出態様が共通とされた前記第１特定予告演出および前記第２特定予告演出を実行可能とすることを特徴とする遊技機。
【手続補正５】
【補正対象書類名】明細書
【補正対象項目名】０００７
【補正方法】変更
【補正の内容】
【０００７】
このように、本発明によれば、演出の工夫が施された遊技機の提供を行うことができる。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
遊技媒体が投入される投入口と、
前記投入口から投入された遊技媒体を貯留する第一貯留庫と、
前記第一貯留庫に貯留された遊技媒体が前記第一貯留庫から排出された場合に、当該前記第一貯留庫から排出された遊技媒体を貯留する第二貯留庫と、
前記第二貯留庫に貯留された遊技媒体との接触状態に応じて、前記第二貯留庫に貯留されている遊技媒体の貯留状態を検知するための検知部材と、
前記検知部材に接続される信号線を配索する配索部を有し、前記検知部材を保持するブラケット部材と、を備え、
前記検知部材は、前記第二貯留庫の外から内に突出される端子部と、前記端子部と一体的に形成されて、前記ブラケット部材に取り付けられる取付部とを有する、
ことを特徴とする遊技機。
【請求項２】
筐体と、
前記筐体に開閉可能に設けられ、遊技媒体が投入される投入口が形成された前扉と、
前記投入口から投入された遊技媒体を貯留する第一貯留庫と、
前記第一貯留庫に貯留された遊技媒体が前記第一貯留庫から排出された場合に、当該前記第一貯留庫から排出された遊技媒体を貯留する第二貯留庫と、
前記第二貯留庫に貯留された遊技媒体との接触状態に応じて、前記第二貯留庫に貯留されている遊技媒体の貯留状態を検知するための検知部材と、
前記筐体に固定され、前記検知部材を保持するブラケット部材と、を備え、
前記検知部材は、前記第二貯留庫の外から内に突出される端子部と、前記端子部と一体的に形成されて、前記ブラケット部材に取り付けられる取付部とを有する、
ことを特徴とする遊技機。
【請求項３】
前記第二貯留庫は、前記前扉側から前記筐体内を装着方向に移動されることにより前記筐体に装着可能であり、
前記ブラケット部材は、前記装着方向から前記筐体に固定され、
前記検知部材は、前記装着方向と反対方向から前記ブラケット部材に取り付けられる、
ことを特徴とする請求項２に記載の遊技機。
【請求項４】
前記ブラケット部材は、前記取付部を保持する保持部を有し、
前記取付部と前記保持部は、互いに螺合するねじにより形成されている、
ことを特徴とする請求項１乃至３のいずれか１項に記載の遊技機。
【手続補正２】
【補正対象書類名】明細書
【補正対象項目名】０００７
【補正方法】変更
【補正の内容】
【０００７】
本発明の請求項１に係る遊技機（１）は、遊技媒体が投入される投入口（５６）と、前記投入口から投入された遊技媒体を貯留する第一貯留庫（２１）と、前記第一貯留庫に貯留された遊技媒体が前記第一貯留庫から排出された場合に、当該前記第一貯留庫から排出された遊技媒体を貯留する第二貯留庫（７０）と、前記第二貯留庫に貯留された遊技媒体との接触状態に応じて、前記第二貯留庫に貯留されている遊技媒体の貯留状態を検知するための検知部材（９０）と、前記検知部材に接続される信号線（１１０）を配索する配索部（８０ｄ）を有し、前記検知部材を保持するブラケット部材（８０）と、を備え、前記検知部材は、前記第二貯留庫の外から内に突出される端子部（９０ａ）と、前記端子部と一体的に形成されて、前記ブラケット部材に取り付けられる取付部（９０ｂ）とを有する、ことを特徴とする。
本発明の請求項２に係る遊技機（１）は、筐体（１０）と、前記筐体に開閉可能に設けられ、遊技媒体が投入される投入口（５６）が形成された前扉（５０）と、前記投入口から投入された遊技媒体を貯留する第一貯留庫（２１）と、前記第一貯留庫に貯留された遊技媒体が前記第一貯留庫から排出された場合に、当該前記第一貯留庫から排出された遊技媒体を貯留する第二貯留庫（７０）と、前記第二貯留庫に貯留された遊技媒体との接触状態に応じて、前記第二貯留庫に貯留されている遊技媒体の貯留状態を検知するための検知部材（９０）と、前記筐体に固定され、前記検知部材を保持するブラケット部材（８０）と、を備え、前記検知部材は、前記第二貯留庫の外から内に突出される端子部（９０ａ）と、前記端子部と一体的に形成されて、前記ブラケット部材に取り付けられる取付部（９０ｂ）とを有する、ことを特徴とする。
【手続補正３】
【補正対象書類名】明細書
【補正対象項目名】０００８
【補正方法】変更
【補正の内容】
【０００８】
前記第二貯留庫は、前記前扉側から前記筐体内を装着方向に移動されることにより前記筐体に装着可能であり、前記ブラケット部材は、前記装着方向から前記筐体に固定され、前記検知部材は、前記装着方向と反対方向から前記ブラケット部材に取り付けられる、ことを特徴とする。
また、前記ブラケット部材は、前記取付部を保持する保持部（８０ａ）を有し、前記取付部と前記保持部は、互いに螺合するねじにより形成されている、ことを特徴とする。
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
先端部同士が回動可能に連結された一対の第１の長尺体と、前記第１の長尺体同士の回
動角度を調整する角度調整部材とを有する第１のブレードと、
前記第１のブレードに並設され、先端部同士が回動可能に連結された一対の第２の長尺
体を有する第２のブレードと、
前記一対の第１の長尺体のうちの一方の第１の長尺体と、前記一対の第２の長尺体のう
ちの一方の第２の長尺体とに着脱自在に装着され、その装着状態で前記一方の第１の長尺
体と前記一方の第２の長尺体とを連結するとともに、互いの位置関係を規制する第１の連
結部材と、
前記一対の第１の長尺体のうちの他方の第１の長尺体と、前記一対の第２の長尺体のう
ちの他方の第２の長尺体とに着脱自在に装着され、その装着状態で前記他方の第１の長尺
体と前記他方の第２の長尺体とを連結するとともに、互いの位置関係を規制する第２の連
結部材とを備え、
前記第１の連結部材が装着された第１の装着状態とするとともに、前記第２の連結部材が装着された第２の装着状態として、前記角度調整部材を操作した際、前記第１の長尺体同士の回動角度が調整されるのに連動して、該回動角度と同角度に前記第２の長尺体同士の回動角度が調整される開骨器具であって、
前記第２のブレードは、該第２のブレードが有する一対の第２の長尺体同士の回動角度を調整する機構を備えていない、開骨器具。
【請求項２】
前記第１のブレードと前記第２のブレードとの分離は、前記第２のブレードを前記第１のブレードに対して基端方向に向かって移動させることにより可能となる、請求項１に記載の開骨器具。
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
前身頃と股下部と後身頃とが長手方向にこの順で設けられ、
吸収体を有する紙おむつであって、
少なくとも着用者の股下に配置される前記股下部において、前記長手方向に延びて前記吸収体に設けられた一対の溝状部と、
少なくとも前記股下部において、厚み方向において前記吸収体と重なる位置で前記長手方向に延びて設けられた一対のサポートギャザーとを備え、
幅方向中心と前記溝状部との間の幅方向寸法が前記サポートギャザーの幅方向外側端部と前記幅方向外側端部よりも幅方向内側の前記溝状部との間の幅方向寸法よりも大きい
ことを特徴とする紙おむつ。
【請求項２】
幅方向中心と前記溝状部との間の幅方向寸法が前記サポートギャザーの幅方向内側端部と前記幅方向内側端部よりも幅方向内側の前記溝状部との間の幅方向寸法よりも大きい
ことを特徴とする請求項１に記載された紙おむつ。
【請求項３】
前記サポートギャザーは、前記弾性部材がバックシートとカバーシートとの間に糊付けまたは縫合によって固定されている
ことを特徴とする請求項１または２に記載された紙おむつ。
【請求項４】
前記サポートギャザーは、複数本の前記弾性部材で構成された
ことを特徴とする請求項３に記載された紙おむつ。
【請求項５】
前記後身頃に幅方向に突設された止着テープを備えた
ことを特徴とする請求項１〜４の何れか１項に記載された紙おむつ。
【請求項６】
前記止着テープが止め付けられ、前記前見頃の最も非肌面側に貼着されたフロントパッチを備え、
前記溝状部は、厚み方向から視て前記フロントパッチの前記股下側端部から前記後身頃側へ前記長手方向に延びて設けられた
ことを特徴とする請求項５に記載された紙おむつ。
【請求項７】
前記吸収体において、前記溝状部の設けられた第一吸収体部よりも、厚み方向において前記フロントパッチと重なる位置の第二吸収体部のほうが厚み方向の寸法が小さい
ことを特徴とする請求項６に記載された紙おむつ。
【請求項８】
前記第二吸収体部は、前記溝状部の延びる方向に沿って前記溝状部を仮想的に延長した領域を含み、前記第一吸収体部よりも目付量の小さい
ことを特徴とする請求項７に記載された紙おむつ。
【請求項９】
前記第一吸収体部は、前記吸収体において前記長手方向の中央に配置された
ことを特徴とする請求項７または８に記載された紙おむつ。
【請求項１０】
前記第二吸収体部は、前記第一吸収体部に対して前記長手方向の一側に配置された
ことを特徴とする請求項７〜９の何れか１項に記載された紙おむつ。
【請求項１１】
前記第二吸収体部は、前記第一吸収体部よりも密度が低い
ことを特徴とする請求項７〜１０の何れか１項に記載された紙おむつ。
【請求項１２】
前記溝状部は、前記吸収体の圧搾により形成されてなるものである
ことを特徴とする請求項１〜１１の何れか１項に記載された紙おむつ。
【請求項１３】
前記吸収体の肌面側に積層されたトップシートを備え、
前記トップシートに前記溝状部が設けられた
ことを特徴とする請求項１〜１２の何れか１項に記載された紙おむつ。
【請求項１４】
前記溝状部が、前記トップシートを積層した前記吸収体の圧搾により形成されてなるものである
ことを特徴とする請求項１３に記載された紙おむつ。
【手続補正２】
【補正対象書類名】図面
【補正対象項目名】図４
【補正方法】削除
【補正の内容】
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
複数のユーザに共通のゲームをプレイさせるゲームシステムであって、
第１のプレイ料金を要する第１のゲームモード、及び第１のプレイ料金よりも高い第２のプレイ料金を要する第２のゲームモードのいずれかを前記ユーザに選択されるように設けることにより、前記複数のユーザの全体のプレイ料金を当該複数のユーザ間において異なる料金額の分担が可能なように設定する料金設定手段と、
前記複数のユーザの少なくとも一部のユーザによって前記第２のゲームモードが選択され、前記第２のプレイ料金が支払われた場合、かつ、前記一部のユーザ以外のユーザによって前記第１のゲームモードが選択され、前記第１のプレイ料金が支払われた場合に、前記第２のゲームモードが前記複数のユーザに提供されるように前記ゲームのプレイを前記複数のユーザに共通に許可するプレイ許可手段と、を備え、
前記第１のゲームモードの特徴と前記第２のゲームモードの特徴とは互いに異なる、
ゲームシステム。
【手続補正書】
【提出日】令和1年10月11日(2019.10.11)
【手続補正１】
【補正対象書類名】明細書
【補正対象項目名】０００７
【補正方法】変更
【補正の内容】
【０００７】
上記目的を達成するため、本発明の医療用撮像装置は、通常の撮影状態で患部の撮影を行う第１撮影状態と、通常の撮影状態とは異なる撮影状態で患部の撮影を行う第２撮影状態とを有し、患部の診断を支援するための画像を撮像する医療用撮像装置において、第１光源と、第２光源と、を備え、前記第１撮影状態の際に被写体に光を照射する光源として、少なくとも前記第１光源を採用し、前記第２撮影状態の際に前記被写体に光を照射する光源として、少なくとも前記第２光源を採用するように構成され、前記第２光源の照射方向と前記第１光源の照射方向とが互いに異なる方向に設定されていることによって、前記第１光源からの光によって照射される照射領域と、前記第２光源からの光によって照射される照射領域とが互いに異なっている、ことを特徴とする。
【手続補正２】
【補正対象書類名】特許請求の範囲
【補正対象項目名】全文
【補正方法】変更
【補正の内容】
【特許請求の範囲】
【請求項１】
通常の撮影状態で患部の撮影を行う第１撮影状態と、通常の撮影状態とは異なる撮影状態で患部の撮影を行う第２撮影状態とを有し、患部の診断を支援するための画像を撮像する医療用撮像装置において、
第１光源と、第２光源と、を備え、
前記第１撮影状態の際に被写体に光を照射する光源として、少なくとも前記第１光源を採用し、前記第２撮影状態の際に前記被写体に光を照射する光源として、少なくとも前記第２光源を採用するように構成され、
前記第２光源の照射方向と前記第１光源の照射方向とが互いに異なる方向に設定されていることによって、前記第１光源からの光によって照射される照射領域と、前記第２光源からの光によって照射される照射領域とが互いに異なっている、
ことを特徴とする医療用撮像装置。
【請求項２】
前記第１光源と、前記第２光源と、撮像素子と、前記撮像素子と前記被写体とを結ぶ光軸上に位置するレンズ群と、を有する撮像装置本体を備え、
前記第２光源の照射方向は、前記光軸に近づく方向に設定されている、
ことを特徴とする請求項１に記載の医療用撮像装置。
【請求項３】
前記第１光源の照射方向は、前記光軸に対して並行又は遠ざかる方向に設定されている、
ことを特徴とする請求項２に記載の医療用撮像装置。
【請求項４】
前記第１撮影状態は、通常撮影状態であり、
前記第２撮影状態は、ダーモスコピー撮影状態であって、
前記レンズ群は、前記ダーモスコピー撮影状態では拡大レンズとして機能し、前記通常撮影状態では前記ダーモスコピー撮影状態よりも広角なレンズとして機能する、
ことを特徴とする請求項２又は３に記載の医療用撮像装置。
【請求項５】
前記撮像装置本体は、前記光軸上に位置する、ダーモスコピー撮影のために前記第２光源から出射された光を偏光するための偏光部材を備える、
ことを特徴とする請求項４に記載の医療用撮像装置。
【請求項６】
前記第１光源と前記第２光源は、前記撮像装置本体の前方に設けられている、
ことを特徴とする請求項２〜５のいずれか１項に記載の医療用撮像装置。
【請求項７】
前記第２光源の少なくとも一部は、偏光部材が設けられて偏光光を照射し、
前記第１光源は、非偏光光を照射し、
前記撮像素子の前方に、偏光軸の方向が前記偏光部材の偏光軸の方向と異なる偏光部材を備える、
ことを特徴とする請求項２〜６のいずれか１項に記載の医療用撮像装置。
【請求項８】
前記第１光源と前記第２光源は、前記レンズ群の周囲に設けられている、
ことを特徴とする請求項２〜７のいずれか１項に記載の医療用撮像装置。
【請求項９】
前記第１光源は、前記第２光源よりも後方に設けられている、
ことを特徴とする請求項１〜７のいずれか１項に記載の医療用撮像装置。
【請求項１０】
前記第１光源の取り付け方向と、前記第２光源の取り付け方向とを互いに異ならせことによって、前記第１光源の照射方向と前記第２光源の照射方向とを互いに異ならせるとともに、前記第１光源からの光によって照射する照射領域と、前記第２光源からの光によって照射する照射領域とを互いに異ならせる、
ことを特徴とする請求項１〜９のいずれか１項に記載の医療用撮像装置。
【請求項１１】
前記第２光源の少なくとも一部は、偏光部材が設けられて偏光光を照射し、
前記第１光源は、非偏光光を照射する、
ことを特徴とする請求項１に記載の医療用撮像装置。
【請求項１２】
前記第１撮影状態の際に少なくとも前記第１光源を点灯し、前記第２撮影状態の際に少なくとも前記第２光源を点灯するように構成されている、
ことを特徴とする請求項１〜１１のいずれか１項に記載の医療用撮像装置。
【請求項１３】
前記第１撮影状態の際に前記第１光源を点灯し、前記第２撮影状態の際に前記第１光源及び前記第２光源の両方を点灯するように構成されている、
ことを特徴とする請求項１〜１１のいずれか１項に記載の医療用撮像装置。
【請求項１４】
前記第１光源と前記第２光源には照射角度が異なる光源が用いられている、
ことを特徴とする請求項１〜１３のいずれか１項に記載の医療用撮像装置。
【請求項１５】
前記第１光源と前記第２光源には照射強度が異なる光源が用いられている、
ことを特徴とする請求項１〜１４のいずれか１項に記載の医療用撮像装置。
【請求項１６】
前記第１光源と前記第２光源には照射距離が異なる光源が用いられている、
ことを特徴とする請求項１〜１５のいずれか１項に記載の医療用撮像装置。
【請求項１７】
前記第１光源と前記第２光源には波長が異なる光源が用いられている、
ことを特徴とする請求項１〜１６のいずれか１項に記載の医療用撮像装置。
【請求項１８】
前記第１光源と前記第２光源は、同じ光源であって、前記第１撮影状態と前記第２撮影状態とで、光の照射方向を変えるか、又は前記光軸上に偏光板を位置させる状態と位置させない状態とで切り替えるように構成されている、
ことを特徴とする請求項２に記載の医療用撮像装置。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
複数種類の図柄を可変表示する表示手段を備え、可変表示が停止したときの図柄に応じて特典を付与可能な遊技機において、
遊技者にとって有利な有利状態に制御する有利状態制御手段と、
前記有利状態の終了遊技に伴って、報知する情報が異なる複数種類の終了時画像のいずれかを表示領域に表示する画像表示手段とを備え、
前記複数種類の終了時画像として、過度な遊技への注意を遊技者に促す注意情報と、設定値を示唆する設定値示唆情報とが含まれており、前記注意情報と同じタイミングで前記設定値示唆情報を報知する特定終了時画像が設けられている、遊技機。
【手続補正２】
【補正対象書類名】明細書
【補正対象項目名】０００７
【補正方法】変更
【補正の内容】
【０００７】
本発明のある局面に従う遊技機は、複数種類の図柄を可変表示する表示手段を備え、可変表示が停止したときの図柄に応じて特典を付与可能な遊技機において、遊技者にとって有利な有利状態に制御する有利状態制御手段と、前記有利状態の終了遊技に伴って、報知する情報が異なる複数種類の終了時画像のいずれかを表示領域に表示する画像表示手段とを備え、前記複数種類の終了時画像として、過度な遊技への注意を遊技者に促す注意情報と、設定値を示唆する設定値示唆情報とが含まれており、前記注意情報と同じタイミングで前記設定値示唆情報を報知する特定終了時画像が設けられている。
なお、以下の構成を備えるものであってもよい。画像を表示可能な複数のレイヤを重ね合わせて表示領域に表示可能な画像表示手段と、可変表示を停止させる停止操作手段と、複数の役のうちのいずれの役に当選したか否かを決定する役抽選を行う役抽選手段とを備え、前記画像表示手段は、前記複数のレイヤのうちの所定レイヤにおいて、遊技者に有利な有利状態の終了に伴う所定画像を表示し、前記所定レイヤにおいて前記所定画像を表示する場合に、当該所定レイヤよりも優先度が高いレイヤにおいて過度な遊技への注意を遊技者に促す注意画像を少なくとも所定時間が経過するまで表示し、遊技に関する特定条件が成立することにより特定画像を表示し、前記特定条件は、前記役抽選の抽選結果が前記停止操作手段の操作態様によって遊技者にとっての有利度が異なる特定抽選結果となることにより成立する条件を含み、前記特定画像は、前記特定条件が成立することによって前記所定時間が経過するまでの間においても前記表示領域のうち前記注意画像が表示される領域と重ならない領域に表示される画像であり、遊技者にとって有利度が高くなる有利操作態様を特定可能に報知する有利操作態様報知画像を含む。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
複数種類の図柄を可変表示する表示手段を備え、可変表示が停止したときの図柄に応じて特典を付与可能な遊技機において、
遊技者にとって有利な有利状態に制御する有利状態制御手段と、
前記有利状態の終了遊技に伴って終了時画像を表示領域に表示する画像表示手段とを備え、
前記終了時画像として、過度な遊技への注意を遊技者に促す注意情報を前記終了遊技における可変表示が停止した後に報知する特定終了時画像が設けられている、遊技機。
【請求項２】
前記終了時画像として、設定値を示唆する設定値示唆情報を報知する終了時画像が設けられている、請求項１に記載の遊技機。
【請求項３】
可変表示を停止させる停止操作手段への操作態様を特定可能に報知する報知手段を備え、
前記報知手段は、前記特定終了時画像が表示される前記終了遊技のうち前記可変表示が開始されてから停止するまでの間においても前記操作態様を特定可能に報知可能である、請求項１または請求項２に記載の遊技機。
【手続補正２】
【補正対象書類名】明細書
【補正対象項目名】０００７
【補正方法】変更
【補正の内容】
【０００７】
本発明のある局面に従う遊技機は、複数種類の図柄を可変表示する表示手段を備え、可変表示が停止したときの図柄に応じて特典を付与可能な遊技機において、遊技者にとって有利な有利状態に制御する有利状態制御手段と、前記有利状態の終了遊技に伴って終了時画像を表示領域に表示する画像表示手段とを備え、前記終了時画像として、過度な遊技への注意を遊技者に促す注意情報を前記終了遊技における可変表示が停止した後に報知する特定終了時画像が設けられている。
好ましくは、前記終了時画像として、設定値を示唆する設定値示唆情報を報知する終了時画像が設けられている。
好ましくは、前記報知手段は、前記特定終了時画像が表示される前記終了遊技のうち前記可変表示が開始されてから停止するまでの間においても前記操作態様を特定可能に報知可能である。
なお、以下の構成を備えるものであってもよい。過度な遊技への注意を遊技者に促す注意画像と、設定値を示唆する示唆画像とを含む複数種類の画像を表示領域に表示可能な画像表示手段を備え、前記画像表示手段は、所定条件が成立することにより前記注意画像を少なくとも所定時間が経過するまで表示し、前記注意画像と前記示唆画像とを表示するときには、前記示唆画像を表示してから前記注意画像を少なくとも前記所定時間が経過するまで表示し、前記注意画像と前記示唆画像とを表示するときにおいて、前記示唆画像を所定表示態様で表示してから、前記注意画像を少なくとも前記所定時間が経過するまで表示し、当該所定時間が経過してから前記示唆画像を前記所定表示態様とは異なる表示態様で表示する。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
燃料を噴孔（２３ａ）から噴射する燃料噴射弁（１）であって、
通電により磁束を生じさせるコイル（７０）と、
前記噴孔に燃料を流通させる流通路（Ｆ）の一部を形成し、前記磁束の通路になる固定コア（５１）と、
前記磁束の通路になることで前記固定コアに吸引される可動コア（４１）と、
前記コイルの軸線方向において前記固定コアよりも下流側に設けられ、前記流通路（Ｆ）の一部を形成する通路形成部（２１）と、
前記通路形成部と前記固定コアとの境界部である固定境界部を前記流通路側から覆っている覆い部（９３，１００）と、
を備え、
前記通路形成部及び前記覆い部の少なくとも一方は、前記固定コアに比べて磁性が低い、燃料噴射弁。
【請求項２】
前記覆い部は、前記通路形成部及び前記固定コアから独立した部材である、請求項１に記載の燃料噴射弁。
【請求項３】
前記固定境界部について前記通路形成部と前記固定コアとが溶接により一体化された溶接部（９６）を備え、
前記溶接部には、前記固定境界部よりも前記流通路側において前記覆い部の一部が含まれている、請求項２に記載の燃料噴射弁。
【請求項４】
前記覆い部は、前記通路形成部及び前記固定コアの両方から前記流通路側に突出しており、
前記覆い部においては、前記噴孔側を向いた下面（９０ｃ）と、前記噴孔とは反対側を向いた上面（９０ｂ）と、の両方がそれぞれ前記流通路を形成している、請求項１〜３のいずれか１つに記載の燃料噴射弁。
【請求項５】
前記可動コアを含んで構成され、前記可動コアが前記磁束の通路になって前記固定コアに吸引されることで前記コイルの軸線方向に変位する可動構造体（Ｍ）と、
前記覆い部を挟んで前記固定境界部とは反対側に設けられ、前記固定コアによる吸引に伴って前記可動構造体が移動する場合に、前記可動構造体の移動を案内する案内部（９４）と、
を備え、
前記案内部は、前記覆い部により支持されている、請求項１〜４のいずれか１つに記載の燃料噴射弁。
【請求項６】
前記通路形成部を含み、前記可動構造体を移動可能な状態で内部に収容しているボデー（Ｂ）を備え、
前記流通路は、
前記可動構造体の内部に設けられたメイン通路（Ｆ２１，Ｆ２２，Ｆ２３）と、
前記可動構造体と前記ボデーとの間に設けられたサブ通路（Ｆ２４ｓ，Ｆ２５ｓ，Ｆ２６ｓ，Ｆ２７ｓ）と、
を有し、
前記メイン通路は、
前記メイン通路の通路面積を部分的に小さくして流量を絞り且つ前記可動構造体が有する絞り部（３２ａ）により形成された絞り流通路（Ｆ２２）を有し、
前記サブ通路は、  前記可動構造体と前記案内部との隙間により形成された別流通路（Ｆ２７ｓ）と、
前記別流通路よりも上流側において前記可動構造体と前記覆い部との隙間により形成され、前記別流通路よりも通路面積が大きい覆い上室（Ｓ１）と、
を有している、請求項５に記載の燃料噴射弁。
【請求項７】
前記覆い部及び前記案内部は、互いに独立した別部材により形成されており、
前記通路形成部及び前記覆い部の両方が前記固定コアに比べて磁性が低い、請求項５又は６に記載の燃料噴射弁。
【請求項８】
前記固定コアを第２固定コア（５１）と称し、
前記第２固定コアよりも上流側において前記流通路（Ｆ）の一部を形成し、前記磁束の通路になる第１固定コア（５０）を備え、
前記可動コアは、
前記磁束が通ることで前記第１固定コアに吸引される第１吸引面（４２ａ）と、
前記第１吸引面とは反対向きに前記磁束が通ることで前記第２固定コアに吸引される第２吸引面（４３ａ）と、
を有し、
前記磁束が前記可動コアを通らずに前記第１固定コアと前記第２固定コアとの間を短絡して通ることを規制する短絡規制部（６０）が、前記第１固定コアと前記第２固定コアとの間に設けられており、
前記固定境界部は、前記第２固定コアと前記通路形成部との境界部である、請求項１〜７のいずれか１つに記載の燃料噴射弁。
【手続補正２】
【補正対象書類名】明細書
【補正対象項目名】０００７
【補正方法】変更
【補正の内容】
【０００７】
上記目的を達成するため、開示された態様は、
燃料を噴孔（２３ａ）から噴射する燃料噴射弁（１）であって、
通電により磁束を生じさせるコイル（７０）と、
噴孔に燃料を流通させる流通路（Ｆ）の一部を形成し、磁束の通路になる固定コア（５１）と、
磁束の通路になることで固定コアに吸引される可動コア（４１）と、
コイルの軸線方向において固定コアよりも下流側に設けられ、流通路（Ｆ）の一部を形成する通路形成部（２１）と、
通路形成部と固定コアとの境界部である固定境界部を流通路側から覆っている覆い部（９３，１００）と、
を備え、通路形成部及び覆い部の少なくとも一方は、固定コアに比べて磁性が低い、燃料噴射弁である。
【手続補正書】
【提出日】平成31年3月6日(2019.3.6)
【手続補正１】
【補正対象書類名】特許請求の範囲
【補正対象項目名】請求項１
【補正方法】変更
【補正の内容】
【請求項１】
燃料を噴孔（２３ａ）から噴射する燃料噴射弁（１）であって、
通電により磁束を生じさせるコイル（７０）と、
前記磁束の通路になる固定コア（５０，５１）と、
前記磁束の通路になることで前記固定コアに吸引される可動コア（４１）と、
前記固定コアよりも磁性が弱い金属製部材で形成され、前記固定コアに対して、前記固定コアの中心軸線方向にずれて配置される磁束規制部（６０）と、
を備え、
前記固定コアと前記磁束規制部との境界部を規制境界部（Ｑ１，Ｑ２）と称し、前記規制境界部を前記可動コア側に向けて延ばした仮想の延長線を境界延長線（Ｎ１，Ｎ２）と称すると、
前記規制境界部は、その全域が直線状に形成され、
前記規制境界部は、前記境界延長線が前記噴孔から離れるほど前記中心軸線から離れるように、前記中心軸線方向に対して傾斜している、燃料噴射弁。
【手続補正２】
【補正対象書類名】特許請求の範囲
【補正対象項目名】請求項８
【補正方法】変更
【補正の内容】
【請求項８】
燃料を噴射する噴孔（２３ａ）と、
通電により磁束を生じさせるコイル（７０）と、
前記磁束の通路になる固定コア（５０，５１）と、
前記磁束の通路になることで前記固定コアに吸引される可動コア（４１）と、
前記固定コアよりも磁性が弱い金属製部材で形成され、前記固定コアに対して、前記固定コアの中心軸線方向にずれて配置される磁束規制部（６０）と、
を備え、
前記固定コアと前記磁束規制部との境界部を規制境界部（Ｑ１，Ｑ２）と称し、前記規制境界部を前記可動コア側に向けて延ばした仮想の延長線を境界延長線（Ｎ１，Ｎ２）と称すると、
前記規制境界部は、その全域が直線状に形成され、
前記規制境界部は、前記境界延長線が前記噴孔から離れるほど前記中心軸線から離れるように、前記中心軸線方向に対して傾斜している、燃料噴射弁（１）を製造する製造方法であって、
前記固定コアと前記磁束規制部とを溶接するために、前記規制境界部に対して径方向外側及び径方向内側のそれぞれから熱を加える、燃料噴射弁の製造方法。
【手続補正３】
【補正対象書類名】明細書
【補正対象項目名】０００７
【補正方法】変更
【補正の内容】
【０００７】
上記目的を達成するため、開示された第１の態様は、
燃料を噴孔（２３ａ）から噴射する燃料噴射弁（１）であって、
通電により磁束を生じさせるコイル（７０）と、
磁束の通路になる固定コア（５０，５１）と、
磁束の通路になることで固定コアに吸引される可動コア（４１）と、
固定コアよりも磁性が弱い金属製部材で形成され、固定コアに対して、固定コアの中心軸線方向にずれて配置される磁束規制部（６０）と、
を備え、
固定コアと磁束規制部との境界部を規制境界部（Ｑ１，Ｑ２）と称し、規制境界部を可動コア側に向けて延ばした仮想の延長線を境界延長線（Ｎ１，Ｎ２）と称すると、
規制境界部は、その全域が直線状に形成され、
規制境界部は、境界延長線が噴孔から離れるほど中心軸線から離れるように、中心軸線方向に対して傾斜している、燃料噴射弁である。
【手続補正４】
【補正対象書類名】明細書
【補正対象項目名】００１０
【補正方法】変更
【補正の内容】
【００１０】
これに対して、上記第１の態様によれば、規制境界部に対して径方向外側から溶接のための熱を加えることはもちろんのこと、径方向内側から熱を加えることが容易になる。
【手続補正５】
【補正対象書類名】明細書
【補正対象項目名】００１１
【補正方法】変更
【補正の内容】
【００１１】
第２の態様は、
燃料を噴射する噴孔（２３ａ）と、
通電により磁束を生じさせるコイル（７０）と、
磁束の通路になる固定コア（５０，５１）と、
磁束の通路になることで固定コアに吸引される可動コア（４１）と、
固定コアよりも磁性が弱い金属製部材で形成され、固定コアに対して、固定コアの中心軸線方向にずれて配置される磁束規制部（６０）と、
を備え、
固定コアと磁束規制部との境界部を規制境界部（Ｑ１，Ｑ２）と称し、規制境界部を可動コア側に向けて延ばした仮想の延長線を境界延長線（Ｎ１，Ｎ２）と称すると、
規制境界部は、その全域が直線状に形成され、
規制境界部は、境界延長線が噴孔から離れるほど中心軸線から離れるように、軸方向に対して傾斜している、燃料噴射弁（１）を製造する製造方法であって、
固定コアと磁束規制部とを溶接するために、規制境界部に対して径方向外側及び径方向内側のそれぞれから熱を加える、燃料噴射弁の製造方法である。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
親水性イオン液体および水を含有し、
前記親水性イオン液体の分子量が１５０以下であり、
前記親水性イオン液体がメチルアンモニウムニトレートである熱媒体用基材。
【請求項２】
前記親水性イオン液体の濃度が５０ｗｔ％以上である請求項１に記載の熱媒体用基材。
【請求項３】
２５℃における動粘度が３．１ｍｍ２／ｓ以下である請求項１または２に記載の熱媒体用基材。
【請求項４】
液体の熱媒体が流動する熱媒体流路（４０）と、
前記熱媒体流路に前記熱媒体を流動させる流動部（４３）と、
前記熱媒体流路に配置されるとともに、外部からの供給エネルギを他の形態のエネルギに変換する際に熱を発生するエネルギ変換部（４１）と、
前記熱媒体流路に配置されるとともに、前記熱媒体が有する熱を放出する放熱部（４２）とを備え、
前記エネルギ変換部からの熱を、前記熱媒体を介して前記放熱部へ輸送する熱輸送システムであって、
前記熱媒体として、請求項１ないし３のいずれか１つに記載の熱媒体用基材を用いる熱輸送システム。
【請求項５】
ヒートポンプサイクル（１０）によって熱媒体を加熱するとともに、加熱された前記熱媒体を熱源として加熱対象流体を加熱するヒートポンプシステムであって、
前記熱媒体として、請求項１ないし３のいずれか１つに記載の熱媒体用基材を用いるヒートポンプシステム。
【手続補正２】
【補正対象書類名】明細書
【補正対象項目名】００１２
【補正方法】変更
【補正の内容】
【００１２】
すなわち、本開示の一態様に係る熱媒体用基材は、親水性イオン液体および水を含有し、親水性イオン液体の２５℃における粘度が３０ｍＰａ・ｓ以下である。
【手続補正３】
【補正対象書類名】明細書
【補正対象項目名】００１４
【補正方法】変更
【補正の内容】
【００１４】
また、請求項１に記載の発明では、親水性イオン液体および水を含有し、親水性イオン液体の分子量が１５０以下であり、親水性イオン液体がメチルアンモニウムニトレートであることを特徴とする。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
下部走行体と、前記下部走行体に旋回装置を介して支持された上部旋回体と、前記上部旋回体に俯仰動可能に設けられ複数のアクチュエータによって駆動されるフロント装置とからなり、
前記上部旋回体は、
前記旋回装置に取付けられる底板上に左，右方向に間隔をもって前，後方向に延びた左縦板，右縦板がそれぞれ立設されると共に前記左縦板と前記右縦板の前側に位置して前記左縦板と前記右縦板との間を閉塞する前板が設けられた旋回フレームと、
前記旋回フレームの前記前板よりも前側に位置して前記左縦板と前記右縦板とにそれぞれ設けられ前記フロント装置を構成するブームのフート部が取付けられた左，右のフロントブラケットと、
前記右フロントブラケットの右側に位置して前記旋回フレームに設けられた機器収容ボックスと、
前記旋回フレームの前記前板の後面側に位置して前記底板に上側に突出した状態で設けられた前記旋回装置の旋回モータと、
前記機器収容ボックス内に設けられた制御弁群と、
前記旋回フレームの前記前板の後面側に位置して前記右縦板を左，右方向に貫通し前記機器収容ボックスに連通したホース挿通口と、
前記フロント装置の前記複数のアクチュエータに圧油を給排するために前記機器収容ボックス内の前記制御弁群から前記ホース挿通口を通じて前記フロント装置の前記ブームの背面側に延びた複数本の油圧ホースとを含んで構成され、
前記上部旋回体および前記フロント装置は、前記フロント装置の前記ブームを後方に大きく仰動させた旋回姿勢で、かつ前記上部旋回体が前記下部走行体の車幅に対して予め決められた範囲内で旋回可能に構成されてなる油圧ショベルにおいて、
前記旋回フレームの前記前板の後面側には、前記フロント装置が前記旋回姿勢となる際に前記複数本の油圧ホースが移動する空間領域を前記前板の後面側と前記旋回モータとの間に形成するホースガイドが設けられ、
前記ホースガイドは、
前記旋回フレームの前記前板との間に前記複数本の油圧ホースの弛み部が移動することができる前記空間領域を有した状態で、左，右方向に延びると共に上，下方向に列設された複数本のガイド体と、
前記複数本のガイド体のそれぞれを連結して前記旋回フレームに取付けるために前記複数本のガイド体のそれぞれの長さ方向の両端部に上，下方向にそれぞれ延びて設けられた左，右の取付部材とにより構成されていることを特徴とする油圧ショベル。
【請求項２】
前記ホースガイドは、前記前板の後面に対して間隔をもった状態で、前記後面に沿って配置されていることを特徴とする請求項１に記載の油圧ショベル。
【請求項３】
前記旋回フレームの前記前板は、前記底板から立上った立上り部と、前記立上り部の上部から後側に向け斜め上側に延びた傾斜部とを含んで構成されており、
前記複数本のガイド体のうち、下側に配置されたガイド体は、前記立上り部に沿って上，下方向に列設され、上，下方向の中間部から上側に配置されたガイド体は、前記傾斜部に沿って斜め方向に列設されていることを特徴とする請求項１に記載の油圧ショベル。
【手続補正２】
【補正対象書類名】明細書
【補正対象項目名】０００８
【補正方法】変更
【補正の内容】
【０００８】
本発明は、下部走行体と、前記下部走行体に旋回装置を介して支持された上部旋回体と、前記上部旋回体に俯仰動可能に設けられ複数のアクチュエータによって駆動されるフロント装置とからなり、前記上部旋回体は、前記旋回装置に取付けられる底板上に左，右方向に間隔をもって前，後方向に延びた左縦板，右縦板がそれぞれ立設されると共に前記左縦板と前記右縦板の前側に位置して前記左縦板と前記右縦板との間を閉塞する前板が設けられた旋回フレームと、前記旋回フレームの前記前板よりも前側に位置して前記左縦板と前記右縦板とにそれぞれ設けられ前記フロント装置を構成するブームのフート部が取付けられた左，右のフロントブラケットと、前記右フロントブラケットの右側に位置して前記旋回フレームに設けられた機器収容ボックスと、前記旋回フレームの前記前板の後面側に位置して前記底板に上側に突出した状態で設けられた前記旋回装置の旋回モータと、前記機器収容ボックス内に設けられた制御弁群と、前記旋回フレームの前記前板の後面側に位置して前記右縦板を左，右方向に貫通し前記機器収容ボックスに連通したホース挿通口と、前記フロント装置の前記複数のアクチュエータに圧油を給排するために前記機器収容ボックス内の前記制御弁群から前記ホース挿通口を通じて前記フロント装置の前記ブームの背面側に延びた複数本の油圧ホースとを含んで構成され、前記上部旋回体および前記フロント装置は、前記フロント装置の前記ブームを後方に大きく仰動させた旋回姿勢で、かつ前記上部旋回体が前記下部走行体の車幅に対して予め決められた範囲内で旋回可能に構成されてなる油圧ショベルにおいて、前記旋回フレームの前記前板の後面側には、前記フロント装置が前記旋回姿勢となる際に前記複数本の油圧ホースが移動する空間領域を前記前板の後面側と前記旋回モータとの間に形成するホースガイドが設けられ、前記ホースガイドは、前記旋回フレームの前記前板との間に前記複数本の油圧ホースの弛み部が移動することができる前記空間領域を有した状態で、左，右方向に延びると共に上，下方向に列設された複数本のガイド体と、前記複数本のガイド体のそれぞれを連結して前記旋回フレームに取付けるために前記複数本のガイド体のそれぞれの長さ方向の両端部に上，下方向にそれぞれ延びて設けられた左，右の取付部材とにより構成されている。
【手続補正書】
【提出日】令和1年9月24日(2019.9.24)
【手続補正１】
【補正対象書類名】明細書
【補正対象項目名】００１２
【補正方法】変更
【補正の内容】
【００１２】
さらに他の態様は、羽根車と、前記羽根車が収容されたポンプケーシングと、前記羽根車の吸込側の前記ポンプケーシングに接続された真空配管と、前記真空配管に接続された弁組立体とを備え、前記弁組立体は、入口と、出口と、大気に連通する通気口とを有する弁箱と、前記入口に取り付けられた逆止弁と、前記通気口を開閉する通気弁体と、前記通気弁体を前記通気口に押し付け、および前記通気口から離間させるアクチュエータとを備えることを特徴とするポンプ設備である。